(57)【要約】【課題】手軽に持ち運びが出来て、しかも簡易の座布団やクッションとしても、手軽に利用可能な正座用補助具を提供する。【解決手段】正座時に臀部を載せて、体重が脚にかかるのを抑制するための正座用補助具であって、エアー充填室を有しこの充填室へのエアーの充填により立方体に膨らむようにした複数個の膨出体が備えられて、これら複数の膨出体が積み重ね可能に連結されると共に、これら膨出体にはエアー充填室へのエアー給排口が備えられ、このエアー給排口は栓部材により開閉可能であり、また積み重ね時に重合する膨出体の重合面には面ファスナが設けられて、積み重ねられた膨出体が面ファスナを介して係止されるようにしている。【選択図】図１
2008220625.tif 000002
【特許請求の範囲】
【請求項１】
正座時に臀部を載せて、体重が脚にかかるのを抑制するための正座用補助具であって、
エアー充填室を有しこの充填室へのエアーの充填により立方体に膨らむようにした複数個の膨出体が備えられて、これら複数の膨出体が積み重ね可能に連結されると共に、これら膨出体にはエアー充填室へのエアー給排口が備えられ、このエアー給排口は栓部材により開閉可能であることを特徴とする正座用補助具。
【請求項２】
積み重ね時に重合する膨出体の重合面には面ファスナが設けられて、積み重ねられた膨出体が面ファスナを介して係止されるようにしていることを特徴とする請求項１に記載の正座用補助具。
【発明の詳細な説明】
【技術分野】
【０００１】
本発明は、正座する際に、脚への負担を少なくするための正座用補助具に関する。
【背景技術】
【０００２】
一般にこの種の正座補助具は、係合脚部と立脚部とからなる一対の脚を折り畳み自在に連結して、一方の脚の係合脚部を座板の裏面に枢着すると共に、もう一方の脚の係合脚部を座板の裏面に設けた脚係止部に着脱自在に係止できるようにし、この脚の係合脚部を上記脚係止部に係止した時、座板の裏面に設けたスプリング部材のバネ反力により、係合脚部を係止状態に保持するようにしている。（特許文献１参照）
そして以上の正座補助具は、正座する際、この正座補助具を臀部の下に介装して、臀部を座板上に載せることで、体重を座板にかけて、脚に加重が加わらないようにするものである。
【０００３】
ところで、以上の正座用補助具は、脚が主として金属部材から形成され、また座板が主として木材から形成されていることから、正座用補助具が重くて、持ち運びが不便であるし、また保管に際しても場所をとるものである。
【特許文献１】特開Ｈ０７−２１３３８０号
【発明の開示】
【発明が解決しようとする課題】
【０００４】
本発明は、以上の実情に鑑みて開発したものであって、目的とするところは、手軽に持ち運びが出来て、しかも簡易の座布団やクッションとしても、手軽に利用可能な正座用補助具を提供することにある。
【課題を解決するための手段】
【０００５】
以上の目的を達成するために、請求項１に記載の発明は、正座時に臀部を載せて、体重が脚にかかるのを抑制するための正座用補助具であって、
エアー充填室を有しこの充填室へのエアーの充填により立方体に膨らむようにした複数個の膨出体が備えられて、これら複数の膨出体が積み重ね可能に連結されると共に、これら膨出体にはエアー充填室へのエアー給排口が備えられ、このエアー給排口は栓部材により開閉可能であることを特徴とするものである。
【０００６】
また請求項２に記載の発明は、請求項１に記載の正座用補助具において、積み重ね時に重合する膨出体の重合面には面ファスナが設けられて、積み重ねられた膨出体が面ファスナを介して係止されるようにしていることを特徴とするものである。
【発明の効果】
【０００７】
請求項１に記載の発明によれば、エアー充填室に空気を充填して膨らませた複数の膨出体を積み重ねることで、正座時に脚への負担を軽減するための補助具として利用することが出来るし、また膨らませた膨出体を積み重ねずに展開した状態とすることで、例えば座布団としての使用や腰当て部材としての利用も可能であるので、汎用性に優れているし、しかも不使用時には、エアー充填室の空気を外部に排出するだけで、膨出体を小さく畳むことが出来、従ってたとえばハンドバッグなどにも手軽に収納しておくことが出来て、携帯にも適している。
【０００８】
また請求項２に記載の発明によれば、請求項１に記載の発明の効果に加え、積み重ねた膨出体を面ファスナを介して互いに係止することが出来るので、安定よく正座時の補助具として利用することが出来る。
【発明を実施するための最良の形態】
【０００９】
以下、本発明にかかる正座用補助具の一実施形態を説明する。
【００１０】
図１は、本発明にかかる正座用補助具の一実施形態を示す斜視図、図２は、同、背面側から見た斜視図、図３は、正座用補助具を構成する膨出体が積み重ねられた状態の概略断面図であって、これら図１〜図３において符号１で示す正座用補助具は、基本的には、2個の第１及び第２膨出体２ａ・２ｂから構成されている。
【００１１】
前記した第１及び第２膨出体２ａ・２ｂは、気密性に優れしかも柔軟な可撓性を有する合成樹脂製のシート材から直方体に形成されているのであって、具体的には、前述のシート材からボックス状に形成されたボックス部材２１・２２と、これらボックス部材２１・２２の開口を閉鎖する長方形のシート部材２３から形成されている。
【００１２】
シート部材２３は、２個のボックス部材２１・２２の開口を閉鎖するのに充分な大きさに形成され、このシート部材２３をボックス部材２１・２２の開口縁部に熱溶着して、シート部材２３によりボックス部材２１・２２の開口を閉鎖することで、シート部材２３とボックス部材２１・２２とで、前記した第１膨出体２ａ及び第２膨出体２ｂが形成され、またこれら第１膨出体２ａ及び第２膨出体２ｂの内部にはエアー充填室Ｓ１・Ｓ２が設けられると共に、第１膨出体２ａと第２膨出体２ｂとは、シート部材２３による連結部２４を介して所定間隔あけて連結されている。
【００１３】
尚、図に示す各膨出体２ａ・２ｂの膨らんだ時の高さＴは約６ｃｍ、幅Ｗは約１５ｃｍ、奥行きＬも約１５ｃｍとしている。
【００１４】
また第１膨出体２ａ及び第２膨出体２ｂを構成するシート部材２３には、エアー充填室Ｓ１・Ｓ２へのエアー給排口２５ａ・２５ｂが形成されると共に、これらエアー給排口２５ａ・２５ｂには、各エアー給排口２５ａ・２５ｂを開閉するための栓部材３ａ・３ｂが設けられている。
【００１５】
栓部材３ａ・３ｂは、軟質の合成ゴムから形成されたものであって、図４に示すように、栓体３１と、この栓体３１が嵌合可能な嵌合筒部３２とから構成され、嵌合筒部３２は、弾性変形により、エアー給排口２５ａ・２５ｂからエアー充填室Ｓ１・Ｓ２内への退入位置とエアー給排口２５ａ・２５ｂからエアー充填室Ｓ１・Ｓ２外への突出位置に位置変更可能である。
【００１６】
また第１膨出体２ａ及び第２膨出体２ｂを構成するシート部材２３の外面には、ベルベットクロス式の面ファスナ４が貼り付けられている。
【００１７】
この面ファスナ４は、既知の通り、雄側ファスナ片４１とこの雄側ファスナ片４１に係合離脱可能な雌側ファスナ片４２とから構成され、第１膨出体２ａ上に第２膨出体２ｂを積み重ねた時に、雄側ファスナ片４１に雌側ファスナ片４２を係合させることで、第２膨出体２ｂが第１膨出体２ａに係止されるようにしている。
【００１８】
以上の構造からなる正座用補助具１を使用する場合には、栓部材３ａ・３ｂの嵌合筒部３２をエアー給排口２５ａ・２５ｂからエアー充填室Ｓ１・Ｓ２外に引き出すと共に、船体３１を嵌合筒部３２から取り外した上で、この嵌合筒部３２よりエアー充填室Ｓ１・Ｓ２に空気を吹き込んで、第１膨出体２ａ及び第２膨出体２ｂを図１に示すように膨らませる。しかる後、栓体３１を嵌合筒部３２に再度嵌合させると共に、この嵌合筒部３２を図４の−ｂ−に示すようにエアー充填室Ｓ１・Ｓ２内に退入させる。
【００１９】
そして、この正座用補助具１を正座時の補助具として利用する場合には、まず連結部２４を中心にして、両膨出体２ａ・２ｂを重なるように折り畳んで、図３に示すように、第１膨出体２ａ上に第２膨出体２ｂを積み重ねるのであって、これにより、面ファスナ４の雌側ファスナ片４２が雄側ファスナ片４１に係合して、第２膨出体２ｂが第１膨出体２ａに係止される。
【００２０】
そしてこの正座用補助具１を図５に示すように、正座する臀部Ｄの下に介装すると、臀部Ｄが両膨出体２ａ・２ｂにより弾性的に受け止められ、脚Ｆへの負担が解消されるのである。
【００２１】
また以上の補助具は、例えば椅子に腰掛ける際の座布団や着席時の腰当て部材としても利用可能であって、座布団として利用する場合には、図１に示すように、両膨出体２ａ・２ｂを展開した状態のままで、図６に示すように、臀部Ｄの下に敷けばよいのであり、更にたとえば椅子への着席時に腰当て部材として利用する場合には、同じく両膨出体２ａ・２ｂを図１に示すように展開した状態のままで、図７に示すように背中の腰部分Ｅに沿わせればよいのである。
【００２２】
また以上の正座用補助具１を使用しない場合には、エアー充填室Ｓ１・Ｓ２内の空気をエアー給排口２５ａ・２５ｂから外部に排気すれば、両膨出体２ａ・２ｂを小さく畳むことが出来、従ってカバンやハンドバッグなどにも手軽に収納しておくことが出来て、特に携帯に便利である。
【００２３】
以上の実施形態では、正座用補助具１を2個の第１及び第２膨出体２ａ・２ｂから構成したが、これに限定されるものではなく、例えば図８〜図１０に示すように、3個の膨出体２ａ・２ｂ・２ｃから構成してもよいのであって、この場合、図９に示すように、３個の膨出体２ａ・２ｂ・２ｃを積み重ねる場合と、図１０に示すように、２個の膨出体２ｂ・２ｃを積み重ねる場合との使い分けが出来るので、正座時の使用に際して、正座用補助具１の高さを調整できる。
【００２４】
また前記した実施形態では、エアー充填室Ｓ１・Ｓ２毎に、栓部材３ａ・３ｂで開閉されるエアー給排口２５ａ・２５ｂを設けたが、これに限定されるものではなく、例えば、エアー充填室Ｓ１・Ｓ２を連通路で連通させるとともに、一方のエアー充填室Ｓ１にのみ栓部材３ａで開閉されるエアー給排口２５ａを設けるようにしてもよい。
【図面の簡単な説明】
【００２５】
【図１】本発明にかかる正座用補助具の一実施形態を示す斜視図。
【図２】同、背面側から見た斜視図。
【図３】正座用補助具を構成する膨出体が積み重ねられた状態の概略断面図。
【図４】栓部材の形成部分の断面図。
【図５】正座用補助具の使用例の説明図。
【図６】正座用補助具の別の使用例の説明図。
【図７】正座用補助具の別の使用例の説明図。
【図８】本発明にかかる正座用補助具の別の実施形態を示す斜視図。
【図９】図8に示す正座用補助具を構成する膨出体が3段積み重ねられた状態の斜視  図。
【図１０】図8に示す正座用補助具を構成する膨出体が２段積み重ねられた状態の斜  視図。
【符号の説明】
【００２６】
１      正座用補助具
２ａ    第１膨出体
２ｂ    第２膨出体
２４    連結部
２５ａ  エアー給排口
２５ｂ  エアー給排口
３ａ    栓部材
３ｂ    栓部材
３１    栓体
４      面ファスナ
Ｓ１    エアー充填室
Ｓ２    エアー充填室
【図１】
2008220625.tif 000003
【図２】
2008220625.tif 000004
【図３】
2008220625.tif 000005
【図４】
2008220625.tif 000006
【図５】
2008220625.tif 000007
【図６】
2008220625.tif 000008
【図７】
2008220625.tif 000009
【図８】
2008220625.tif 000010
【図９】
2008220625.tif 000011
【図１０】
2008220625.tif 000012